(57)【要約】【課題】主画面の顔画像が副画面によって完全に隠されている場合にも、顔画像が見えるように主画面又は副画面の表示を制御することができる撮像装置及び撮像装置の表示画面の制御方法を提供する。【解決手段】撮像装置１０は、被写体を撮像して画像データを生成する撮像部１３と、生成された画像データを記録する記録部１８と、生成された画像データに基づく画像を主画面に表示し、記録部１８に記録された画像データに基づく画像を副画面に表示する表示部１９と、生成された画像データに基づいて顔画像を検出する顔検出部２５と、顔検出部２５により顔画像が検出されたときには、顔画像の検出領域と副画面の領域とが重なっているか否かを判定する重なり判定部２６と、重なり判定部２６により顔画像の検出領域と副画面の領域とが重なっていると判定されたときには、顔画像が見えるように主画面又は副画面の表示を制御する表示制御部と、を備えている。【選択図】図１
2009089051.tif 000002
【特許請求の範囲】
【請求項１】
被写体を撮像して画像データを生成する撮像手段と、
前記撮像手段により生成された画像データを記録する記録手段と、
前記撮像手段により生成された画像データに基づく画像を主画面に表示し、前記記録手段に記録された画像データに基づく画像を副画面に表示する表示手段と、
前記撮像手段により生成された画像データに基づいて顔画像を検出する顔検出手段と、
前記顔検出手段により顔画像が検出されたときには、検出された前記顔画像の検出領域と前記副画面の領域とが重なっているか否かを判定する重なり判定手段と、
前記重なり判定手段により前記顔画像の検出領域と前記副画面の領域とが重なっていると判定されたときには、前記顔画像が見えるように前記主画面又は前記副画面の表示を制御する表示制御手段と、
を備えた撮像装置。
【請求項２】
前記副画面を表示するか否かを選択する副画面表示選択手段を更に備え、
前記表示手段は、撮影可能状態になると、前記主画面に前記撮像手段で撮像された被写体の画像を表示し、
前記副画面表示選択手段により副画面を表示することが選択されたときには、前記主画面上に前記副画面を重ねて表示し、
前記表示制御手段は、前記重なり判定手段により前記顔画像の検出領域と前記副画面の領域とが重なっていると判定されたときには、前記顔画像と前記副画面が重ならないように前記主画面又は前記副画面の位置及び大きさの少なくとも１つを制御する請求項１記載の撮像装置。
【請求項３】
前記副画面を表示するか否かを選択する副画面表示選択手段を更に備え、
前記表示手段は、撮影可能状態になると、前記主画面に前記撮像手段で撮像された被写体の画像を表示し、
前記副画面表示選択手段により副画面を表示することが選択されたときには、前記主画面上に前記副画面を重ねて表示し、
前記表示制御手段は、前記重なり判定手段により前記顔画像の検出領域と前記副画面の領域とが重なっていると判定されたときには、前記顔画像が見えるように前記副画面の透明度を制御する請求項１記載の撮像装置。
【請求項４】
撮像手段により被写体を撮像して画像データを生成し、
前記生成された画像データを記録手段に記録し
前記撮像手段により生成された画像データに基づく画像を主画面に表示し、
前記記録手段に記録された画像データに基づく画像を副画面に表示し、
前記撮像手段により生成された画像データに基づいて顔画像を検出し、
顔画像が検出されたときには、検出された前記顔画像の検出領域と前記副画面の領域とが重なっているか否かを判定し、
検出された前記顔画像の検出領域と前記副画面の領域とが重なっていると判定されたときには、前記顔画像が見えるように前記主画面又は前記副画面の表示を制御する撮像装置の表示画面の制御方法。
【発明の詳細な説明】
【技術分野】
【０００１】
本発明は、撮像装置及び撮像装置の表示画面の制御方法に関する。
【背景技術】
【０００２】
デジタルカメラなどの撮像装置においては、連続的な撮影によって得られた動画像を主画面に表示してファインダとして使用できるものとし、主画面の一部に小領域の副画面を重ねて形成して、この副画面に記録用の静止画像を表示（ピクチャーインピクチャー表示）するものがある。
【０００３】
このような撮像装置では、主画面に表示されている被写体が人の場合に、被写体の顔が表示位置によっては副画面に隠されて見えなくなるという問題点がある。このような問題点を解決するものとして、現在撮影しようとしている被写体が子画面に隠されて見えなくなってしまうことを防ぐことができる撮影装置（例えば、特許文献１参照。）が提案されている。
【特許文献１】特開２００４−２４１８１５号公報
【発明の開示】
【発明が解決しようとする課題】
【０００４】
しかしながら、特許文献１の撮影装置では、親画面に表示されるべき被写体の顔画像が子画面によって完全に隠されている場合に、顔画像が隠れていることに気付かない可能性があるという問題点がある。
【０００５】
本発明は、上記問題点を解消するために成されたものであり、主画面に表示されるべき顔画像が副画面によって完全に隠されている場合にも、顔画像が見えるように主画面又は副画面の表示を制御することができる撮像装置及び撮像装置の表示画面の制御方法を提供することを目的とする。
【課題を解決するための手段】
【０００６】
上記目的を達成するため、請求項１記載の撮像装置は、被写体を撮像して画像データを生成する撮像手段と、前記撮像手段により生成された画像データを記録する記録手段と、前記撮像手段により生成された画像データに基づく画像を主画面に表示し、前記記録手段に記録された画像データに基づく画像を副画面に表示する表示手段と、前記撮像手段により生成された画像データに基づいて顔画像を検出する顔検出手段と、前記顔検出手段により顔画像が検出されたときには、検出された前記顔画像の検出領域と前記副画面の領域とが重なっているか否かを判定する重なり判定手段と、前記重なり判定手段により前記顔画像の検出領域と前記副画面の領域とが重なっていると判定されたときには、前記顔画像が見えるように前記主画面又は前記副画面の表示を制御する表示制御手段と、を備えている。
【０００７】
請求項１記載の発明によれば、副画面によって被写体の顔画像が見えなくなることのない主画面の画像を得ることができる。
【０００８】
請求項２記載の撮像装置は、請求項１記載の撮像装置において、前記副画面を表示するか否かを選択する副画面表示選択手段を更に備え、前記表示手段は、撮影可能状態になると、前記主画面に前記撮像手段で撮像された被写体の画像を表示し、前記副画面表示選択手段により副画面を表示することが選択されたときには、前記主画面上に前記副画面を重ねて表示し、前記表示制御手段は、前記重なり判定手段により前記顔画像の検出領域と前記副画面の領域とが重なっていると判定されたときには、前記顔画像と前記副画面が重ならないように前記主画面又は前記副画面の位置及び大きさの少なくとも１つを制御する。
【０００９】
請求項２記載の発明によれば、主画面又は副画面の位置及び大きさの少なくとも１つを制御することにより、副画面によって被写体の顔画像が見えなくなることのない主画面の画像を得ることができる。
【００１０】
請求項３記載の撮像装置は、請求項１記載の撮像装置において、前記副画面を表示するか否かを選択する副画面表示選択手段を更に備え、前記表示手段は、撮影可能状態になると、前記主画面に前記撮像手段で撮像された被写体の画像を表示し、前記副画面表示選択手段により副画面を表示することが選択されたときには、前記主画面上に前記副画面を重ねて表示し、前記表示制御手段は、前記重なり判定手段により前記顔画像の検出領域と前記副画面の領域とが重なっていると判定されたときには、前記顔画像が見えるように前記副画面の透明度を制御する。
【００１１】
請求項３記載の発明によれば、副画面の透明度を制御することにより、副画面によって被写体の顔画像が見えなくなることのない主画面の画像を得ることができる。
【００１２】
請求項４記載の撮像装置の表示画面の制御方法は、撮像手段により被写体を撮像して画像データを生成し、前記生成された画像データを記録手段に記録し前記撮像手段により生成された画像データに基づく画像を主画面に表示し、前記記録手段に記録された画像データに基づく画像を副画面に表示し、前記撮像手段により生成された画像データに基づいて顔画像を検出し、顔画像が検出されたときには、検出された前記顔画像の検出領域と前記副画面の領域とが重なっているか否かを判定し、検出された前記顔画像の検出領域と前記副画面の領域とが重なっていると判定されたときには、前記顔画像が見えるように前記主画面又は前記副画面の表示を制御する。
【００１３】
請求項４記載の発明によれば、副画面によって被写体の顔画像が見えなくなることのない主画面の画像を得ることができる。
【発明の効果】
【００１４】
以上説明したように、本発明によれば、主画面に表示される被写体の顔画像が、副画面によって完全に隠れている場合にも、顔画像が見えるように主画面又は副画面の表示を制御することが可能になるという効果が得られる。
【発明を実施するための最良の形態】
【００１５】
以下、図面を参照して本発明の実施の形態を説明する。
【００１６】
＜第１の実施の形態＞
図１は、第１の実施の形態に係る撮像装置の構成を示すブロック図である。同図に示すように、撮像装置１０は、絞り１１、フォーカスレンズ１２、撮像部（ＣＣＤ）１３、ＣＤＳアンプ１４、Ａ／Ｄ変換器１５、画像入力コントローラ１６、画像信号処理回路１７、記録部１、表示部１９、ＣＰＵ２０、キー操作部２１、モータドライバ２２、２３、タイミングジェネレータ２４を備えている。
【００１７】
絞り１１は、光源からの光量を調節し、フォーカスレンズ１２は、被写体像を結像させる。撮像部１３は、フォーカスレンズ１２の焦点位置に配設され、被写体を撮像する。
【００１８】
ＣＤＳアンプ１４は撮像部１３から読み出された被写体像を示す出力信号を相関二重サンプリング処理すると共に、Ｒ、Ｇ、Ｂの各色信号に色分解処理して各信号の信号レベルの調整を行う。Ａ／Ｄ変換器１５は、ＣＤＳアンプ１４により処理されたアナログ信号をデジタル信号に変換する。
【００１９】
画像入力コントローラ１６は、Ａ／Ｄ変換器１５による変換後のデジタル信号を被写体を表す被写体画像の画像データとして画像信号処理回路１７に入力する。画像信号処理回路１７は、入力された画像データに対して所定のデジタル信号処理を行う。画像信号処理回路１７は、入力された画像データに顔画像があるか否かを検出する顔検出部２５と、顔画像の検出領域と副画面の領域とが重なっているか否かを判定する重なり判定部２６とを含んでいる。
【００２０】
記録部１８は、入力された画像データを記録し、表示部１９は、画像データを主画面及び副画面からなる表示画面に表示する。また、表示部１９は、主画面と副画面の位置及び大きさの表示を制御する位置・大きさ表示制御部２７を含んでいる。
【００２１】
ＣＰＵ２０は、バス３０に接続されており、バス３０を介して上述の各部を制御する。また、ＣＰＵ２０は、キー操作部２１、モータドライバ２２、２３、タイミングジェネレータ２４と接続されている。
【００２２】
キー操作部２１は、電源スイッチ（不図示）及び副画面を表示するか否かを選択する副画面表示選択部２８を含む。モータドライバ２２は絞り１１を駆動するモータを駆動し、モータドライバ２３はフォーカスレンズ１２を移動させるためのモータを駆動する。タイミングジェネレータ２４は、撮像部１３を駆動させるためのタイミング信号を生成して供給する。
【００２３】
次に、本発明の第１の実施の形態に係る撮像装１０置の作用の流れを、図２示すフローチャートに沿って説明する。
【００２４】
まず、ステップ１００で、キー操作部２１の電源スイッチにより電源がオンになることにより処理が始まる。
【００２５】
ステップ１０２では、ＣＰＵ２０が撮影モードか否かを判定する。撮影モードの場合はステップ１０４に進み、撮影モードでない場合は以下の処理は行わない。
【００２６】
ステップ１０４では、表示部１９が、撮像部１３による連続的な撮像で得られた動画像（以下「スルー画」という。）を主画面に表示する。
【００２７】
ステップ１０６では、ＣＰＵ２０が、副画面表示選択部２８により副画面を表示することが選択されたか否かを判定する。副画面を表示することが選択された場合はステップ１０８に進み、選択されなかった場合は以下の処理は行わない。
【００２８】
ステップ１０８では、表示部１９が、副画面に記録用の静止画像（以下「記録画」という。）を主画面に重ねてＰｉｎＰ表示する。
【００２９】
図３は、主画面と副画面との概要を示す。同図に示すように、撮像装置１０の液晶モニタなどの表示画面全体を主画面４１として、これにスルー画を表示する。副画面４２は、主画面４１の一部に重ね、これに記録画をＰｉｎＰ表示する。初期状態においては、例えば図３に示すように、主画面４１の右下部分に小さく副画面４２が表示される。
【００３０】
ステップ１１０では、顔検出部２５が、主画面４１に表示される画像データ、即ち、撮像部１３により生成された画像データから顔画像が検出されるか否かを判定する。顔画像が検出された場合はステップ１１２に進み、検出されなかった場合は以下の処理は行わない。
【００３１】
ステップ１１２では、重なり判定部２６が、顔検出部２５により検出された主画面４１内の顔画像の検出領域と副画面４２の領域とが重なるか否かを判定する。重なると判定された場合はステップ１１４に進み、重ならないと判定された場合は以下の処理は行わない。
【００３２】
図４は、主画面４１内の顔画像と副画面４２との重なりを示す図である。同図に示される状態では、主画面４１内の顔画像の検出領域４３と副画面４２の領域との重なり領域４４が存在する。このようなる場合には、重なり判定部２６により重なると判定される。
【００３３】
ステップ１１４では、位置・大きさ表示制御部２７が、主画面４１内の顔画像と副画面４２とが重ならないように、副画面４２の位置又は大きさを変更する。
【００３４】
具体的には、例えば図４のような場合、副画面４２を右側に縮小するか、又は副画面４２全体を上方に移動させることにより、重なり領域４４における重なりを回避することができる。また、必要に応じて副画面４２の位置と大きさの両方を変更してもよい。
【００３５】
更に、副画面４２の位置・大きさを変更するのではなく、主画面４１を縮小することによって、重なりを回避してもよい。
【００３６】
以上のように、第１の実施の形態に係る撮像装置１０は、主画面に含まれる顔画像と副画面とが重なる場合に、副画面又は主画面の位置又は大きさを変更して重なりを回避することにより、副画面４２に隠れていた主画面４１内の顔画像を見えるようにすることが可能となる。
【００３７】
＜第２の実施の形態＞
図５は、本発明の第２の実施の形態に係る撮像装置１０の構成を示すブロック図である。図２と同一部分には同一符号を付して詳細な説明を省略する。図５のブロック図が図２のブロック図と異なるのは、表示部１９が、位置・大きさ表示制御部２７に換わって、副画面４２の透明度を制御する透明度表示制御部２９を含む点である。
【００３８】
次に、本発明の第２の実施の形態に係る撮像装置の作用の流れを、図６示すフローチャートに沿って説明する。図２と同一部分には同一符号を付して詳細な説明を省略する。
【００３９】
図６のフローチャートの構成と図２のフローチャートの構成との相違点は、図２中のステップ１１４に換えてステップ２００を設けたことである。
【００４０】
ステップ２００では、透明度表示制御部２９が、副画面４２の透過率を上げて透過させる。これによって、顔画像の検出領域４３と副画面４２の領域との重なり領域４４の顔画像が副画面４２を透過して見えるようになる。
【００４１】
以上のように、第２の実施の形態に係る撮像装置１０は、主画面に含まれる顔画像と副画面とが重なる場合に、副画面の透過率を上げて透過させることにより、副画面４２に隠れていた主画面４１内の顔画像を見えるようにすることが可能となる。
【００４２】
なお、本発明は、上述した実施の形態に限定されるものではなく、特許請求の範囲に記載された範囲内で設計上の変更をされたものにも適用できる。
【図面の簡単な説明】
【００４３】
【図１】第１の実施の形態に係る撮像装置の構成を示すブロック図である。
【図２】第１の実施の形態に係る撮像装置の作用の流れを示すフローチャートである。
【図３】主画面と副画面との概要を示す図である。
【図４】主画面内の顔画像と副画面との重なりを示す図である。
【図５】第２の実施の形態に係る撮像装置の構成を示すブロック図である。
【図６】第２の実施の形態に係る撮像装置の作用の流れを示すフローチャートにである。
【符号の説明】
【００４４】
１０   撮像装置
１１   絞り
１２   フォーカスレンズ
１３   撮像部
１４   ＣＤＳアンプ
１５   Ａ／Ｄ変換器
１６   画像入力コントローラ
１７   画像信号処理回路
１８   記録部
１９   表示部
２１   キー操作部
２２、２３    モータドライバ
２４   タイミングジェネレータ
２５   顔検出部
２６   重なり判定部
２７   位置・大きさ表示制御部
２８   副画面表示選択部
２９   透明度表示制御部
３０   バス
【図１】
2009089051.tif 000003
【図２】
2009089051.tif 000004
【図３】
2009089051.tif 000005
【図４】
2009089051.tif 000006
【図５】
2009089051.tif 000007
【図６】
2009089051.tif 000008